(57)【要約】【課題】グルーブ部に情報を記録するタイプの記録媒体とランド部に情報を記録するタイプの記録媒体が混在する場合であっても、正常に情報を記録および再生することが可能な光学式記録媒体およびその記録／再生方法を提供する。【解決手段】グルーブ部とランド部のどちらに情報を記録するかを示す記録トラック情報を記録媒体に記録しておき、読み出した記録トラック情報に基づいてグルーブ部とランド部のうち情報の記録に適したどちらか一方を選択し、情報の記録または再生を行う。【選択図】図１
2005293820.tif 000002
【特許請求の範囲】
【請求項１】
レーザー光をトラッキングする案内溝からなる情報トラックを備えた基板上に、レーザー光の照射によって情報の記録および再生が行われる記録層を備えた光学式記録媒体であって、
前記情報トラックにおける前記レーザー光照射面に近いグルーブ部と前記レーザー光照射面から遠いランド部のどちらに情報を記録するかを示す記録トラック情報が記録されていることを特徴とする、光学式記録媒体。
【請求項２】
レーザー光をトラッキングする案内溝からなる情報トラックを備えた基板上に、レーザー光の照射によって情報の記録および再生が行われる記録層を備えた光学式記録媒体であって、
前記情報トラックにおける前記レーザー光照射面から遠いランド部に情報を記録することを示す記録トラック情報が記録されていることを特徴とする、光学式記録媒体。
【請求項３】
前記記録トラック情報の読み出しに際し、トラッキング制御を必要としないことを特徴とする、請求項１または２記載の光学式記録媒体。
【請求項４】
前記記録トラック情報を記録する識別情報領域を備えることを特徴とする、請求項３記載の光学式記録媒体。
【請求項５】
前記記録トラック情報は、径方向の線の集合であるバーコード状に記録されることを特徴とする、請求項４記載の光学式記録媒体。
【請求項６】
前記記録トラック情報を記録する読み出し専用のリードイン領域を備えることを特徴とする、請求項１または２記載の光学式記録媒体。
【請求項７】
前記記録トラック情報は、前記案内溝を径方向にウォブルさせることによって前記リードイン領域に記録されることを特徴とする、請求項６記載の光学式記録媒体。
【請求項８】
前記記録層に対して、前記基板と反対側の面からレーザー光を照射することを特徴とする、請求項１から７いずれかに記載の光学式記録媒体。
【請求項９】
前記記録層を複数有することを特徴とする、請求項１から８いずれかに記載の光学式記録媒体。
【請求項１０】
前記記録層がスピンコート法によって形成されることを特徴とする、請求項１から９いずれかに記載の光学式記録媒体。
【請求項１１】
前記記録層が有機色素系記録材料からなることを特徴とする、請求項１０記載の光学式記録媒体。
【請求項１２】
レーザー光をトラッキングする案内溝からなる情報トラックを備えた基板上に、レーザー光の照射によって情報の記録および再生が行われる記録層を備えた光学式記録媒体の製造方法であって、
前記情報トラックにおける前記レーザー光照射面に近いグルーブ部と前記レーザー光照射面から遠いランド部のどちらに情報を記録するかを示す記録トラック情報を記録することを特徴とする、光学式記録媒体の製造方法。
【請求項１３】
レーザー光をトラッキングする案内溝からなる情報トラックを備えた基板上に、レーザー光の照射によって情報の記録および再生が行われる記録層を備えた光学式記録媒体の製造法であって、
前記情報トラックにおける前記レーザー光照射面から遠いランド部に情報を記録することを示す記録トラック情報を記録することを特徴とする、光学式記録媒体の製造方法。
【請求項１４】
レーザー光をトラッキングする案内溝からなる情報トラックを備えた基板上に、レーザー光の照射によって情報の記録および再生が行われる記録層を備えており、前記情報トラックにおける前記レーザー光照射面に近いグルーブ部と前記レーザー光照射面から遠いランド部のどちらに情報を記録するかを示す記録トラック情報が記録されている光学式記録媒体において、
前記光学式記録媒体に記録された記録トラック情報を読み出し、
前記記録トラック情報に基づき、グルーブ部またはランド部のいずれに情報を記録するかを判断し、
前記判断に基づき、情報の記録を行うことを特徴とする、
光学式記録媒体の記録方法。
【請求項１５】
レーザー光をトラッキングする案内溝からなる情報トラックを備えた基板上に、レーザー光の照射によって情報の記録および再生が行われる記録層を備えており、前記情報トラックにおける前記レーザー光照射面に近いグルーブ部と前記レーザー光照射面から遠いランド部のどちらに情報を記録するかを示す記録トラック情報が記録されている光学式記録媒体において、
前記光学式記録媒体に記録された記録トラック情報を読み出し、
前記記録トラック情報に基づき、グルーブ部またはランド部のいずれに情報が記録されているかを判断し、
前記判断に基づき、情報の再生を行うことを特徴とする、
光学式記録媒体の再生方法。
【請求項１６】
レーザー光をトラッキングする案内溝からなる情報トラックを備えた基板上に、レーザー光の照射によって情報の記録および再生が行われる記録層を備えており、前記情報トラックにおける前記レーザー光照射面に近いグルーブ部と前記レーザー光照射面から遠いランド部のどちらに情報を記録するかを示す記録トラック情報が記録されている光学式記録媒体にレーザー光を照射することによって、情報の記録を行う記録装置であって、
前記光学式記録媒体に記録された記録トラック情報を読み出す読み出し部と、
前記記録トラック情報に基づき、グルーブ部またはランド部のいずれに情報が記録されているかを判断する判断部と、
前記判断に基づき、情報の記録を行う記録部と、
を備えた情報記録装置。
【請求項１７】
レーザー光をトラッキングする案内溝からなる情報トラックを備えた基板上に、レーザー光の照射によって情報の記録および再生が行われる記録層を備えており、前記情報トラックにおける前記レーザー光照射面に近いグルーブ部と前記レーザー光照射面から遠いランド部のどちらに情報を記録するかを示す記録トラック情報が記録されている光学式記録媒にレーザー光を照射することによって、情報の再生を行う情報再生装置であって、
前記光学式記録媒体に記録された記録トラック情報を読み出す読み出し部と、
前記記録トラック情報に基づき、グルーブ部またはランド部のいずれに情報が記録されているかを判断する判断部と、
前記判断に基づき、情報の再生を行う再生部と、
を備えた情報再生装置。
【発明の詳細な説明】
【技術分野】
【０００１】
本発明は、レーザー光等の照射により情報の記録／再生を行う記録層を備えた光学式記録媒体、その製造方法、その記録／再生方法、および記録／再生装置に関するものである。
【背景技術】
【０００２】
大容量で高密度なメモリーとして光学式記録媒体が注目されており、そのような媒体として、情報の書換えが可能な消去型と、一回だけ情報の記録が可能な追記型がある。さらに、この消去型光学式記録媒体の一つとして、基板上にアモルファス状態と結晶状態の間で相変化する薄膜を記録層として有し、レーザー光の照射による熱エネルギーによって情報の記録および消去を行うものがある。
【０００３】
この記録層用の相変化材料としては、Ｇｅ、Ｓｂ、Ｔｅ、Ｉｎ等を主成分とする合金膜、例えばＧｅＳｂＴｅ合金が知られている。情報の記録は記録層の部分的なアモルファス化によってマークを形成することで行い、逆に消去はこのアモルファスマークを結晶化することで行う。アモルファス化は記録層を融点以上に加熱した後、一定値以上の速さで冷却することによって行われる。一方、結晶化は記録層を結晶化温度以上、融点以下の温度に加熱することによって行われる。情報の再生は、このアモルファスマークと結晶領域の反射率の差を利用して行われる。
【０００４】
基板上には、記録／再生時にレーザー光をトラッキングするスパイラル状、もしくは同心円状の案内溝（グルーブ）を予め設けておくのが一般的である。グルーブとグルーブの間の領域はランドと呼ばれ、グルーブもしくはランドのどちらか一方のみを情報を記録する情報トラックとし、他方は隣り合う情報トラックを分離するためのガードバンドとなっている場合が多い。例えば、Ｂｌｕ−ｒａｙ  Ｄｉｓｃでは、レーザー光照射面に近い、情報トラックのグルーブ部に情報を記録する（例えば、非特許文献１参照）。
【０００５】
このような従来のグルーブ部に情報を記録する光学式記録媒体の一例を図７に示す。図７において、光学式記録媒体７０１は、記録／再生装置に装着するための中心孔７０２を中央に備えたポリカーボネートからなる厚さ１．１ｍｍの透明基板上に記録層を備え、さらに厚さ０．１ｍｍの保護層を備えた構造であり、保護層を通してレーザー光を照射し、情報の記録／再生が行われる。基板には、記録／再生時にレーザー光をトラッキングする案内溝が設けられている。また、光学式記録媒体７０１は、再生専用のリードイン領域７０４、最適なパルス条件を求める学習動作を行うためのテスト記録領域７０５、情報を記録する情報記録領域７０６を有している。
【０００６】
さらに最近では、各種情報機器の処理能力の向上に伴い、扱われる情報量が大きくなっている。そのため、より安価で、高密度な記録媒体が求められている。このような記録媒体の一例として、スピンコート法によって形成した有機色素膜を記録層として用いた追記型記録媒体がある。
【非特許文献１】日経ＢＰ社刊、次世代光ディスク解体新書、Ｐ２９、図６
【発明の開示】
【発明が解決しようとする課題】
【０００７】
図４（ａ）に、追記型記録媒体の半径方向の要部断面図、図４（ｂ）にスピンコート法による記録層の形成例を示す。記録媒体４０１は、情報トラックを備えた厚さ１．１ｍｍの基板４３６上に、記録層４３３を形成し、その上に厚さ０．１ｍｍの透明な保護層４３２を備えた構造であり、保護層４３２を通してレーザー光４１０を照射し、情報の記録／再生を行う。記録層４３３は、回転テーブル４４８に設置された基板４３６を回転させながら、有機色素４４９を基板４３６上に塗布して形成する。
【０００８】
ここで、記録層４３３は、情報トラックにおける、凹状のランド部４４５で厚く、凸状のグルーブ部４４６で薄くなるため、グルーブ部４４６に情報を記録した場合には十分な信号品質が得られない。
そこで、凹状のランド部４４５に情報を記録して信号品質を高くすることが考えられる。しかし、グルーブ部４４６に情報を記録する記録媒体と、ランド部４４５に情報を記録する媒体とが併存すると、記録再生装置側で対応が困難であるという問題があった。
【０００９】
本発明は上記従来の課題を解決するもので、異なるタイプの記録媒体について、良好な信号品質で情報を記録／再生可能な光学式記録媒体、その製造方法、記録／再生方法、および記録／再生装置を提供することを目的とする。
【課題を解決するための手段】
【００１０】
上記目的を達成するために本発明の光学式記録媒体は、レーザー光をトラッキングする案内溝からなる情報トラックを備えた円盤状の基板上に、レーザー光の照射によって情報の記録および再生が行われる記録層を備えた光学式記録媒体であって、情報トラックにおけるレーザー光照射面に近いグルーブ部とレーザー光照射面から遠いランド部のどちらに情報を記録するかを示す記録トラック情報が予め記録されていることを特徴とする。
【００１１】
これにより、使用時に記録トラック情報を読み出し、グルーブ部かランド部かを選択することで、良好な信号品質で情報を記録／再生することが可能となる。
上記目的を達成するために本発明の光学式記録媒体は、情報トラックにおけるレーザー光照射面から遠いランド部に情報を記録することを示す記録トラック情報が予め記録されていることを特徴とする。
【００１２】
これにより、使用時に記録トラック情報を読み出し、記録層の膜厚が厚いレーザー光照射面から遠いランド部を初めから選択することで、良好な信号品質で情報を記録／再生することが可能となる。
さらに、本発明の光学式記録媒体は、記録トラック情報の読み出しに際しトラッキング制御を必要としないことを特徴とし、記録トラック情報を記録する識別情報領域を備えていてもよい。記録トラック情報は、径方向の線の集合であるバーコード状に記録されることが好ましい。  これにより、基板の作成や記録／再生装置の制御が容易となる。
【００１３】
あるいは、本発明の光学式記録媒体は、記録トラック情報を記録する読み出し専用のリードイン領域を備えていてもよい。記録トラック情報は、案内溝を径方向に蛇行（ウォブル）させることによってリードイン領域に記録されることが好ましい。
これにより、識別情報領域を備えない光学式記録媒体にも記録トラック情報を記録することが可能となる。
【００１４】
本発明の光学式記録媒体は、記録層を複数有していてもよい。
これにより、より高密度な記録媒体の作成が可能となる。
本発明の光学式記録媒体の記録層は、スピンコート法によって形成されることが好ましい。また、有機色素系記録材料からなることが好ましい。
【００１５】
これにより、低コストで記録媒体を作成可能となる。
本発明の光学式記録媒体の記録方法は、光学式記録媒体にレーザー光を照射することによって情報の記録を行う記録方法であって、光学式記録媒体に記録された記録トラック情報を読み出し、記録トラック情報に基づき、グルーブ部またはランド部のいずれに情報を記録するかを判断し、その判断に基づき、情報の記録を行うことを特徴とする。
【００１６】
また、本発明の光学式記録媒体の再生方法は、光学式記録媒体にレーザー光を照射することによって記録情報の再生を行う再生方法であって、光学式記録媒体に記録された記録トラック情報を読み出し、記録トラック情報に基づき、グルーブ部またはランド部のいずれに情報が記録されているかを判断し、その判断に基づき、情報の再生を行うことを特徴とする。
【００１７】
これらによって、使用時に記録トラック情報を読み出し、グルーブ部かランド部かを選択することで、良好な信号品質で情報を記録／再生することが可能となる。
【発明の効果】
【００１８】
本発明の光学式記録媒体、その製造方法、記録／再生方法、および記録／再生装置によれば、記録媒体のタイプに応じてグルーブ部とランド部のうち情報の記録に適したどちらか一方を選択し、良好な信号品質で情報を記録／再生することが可能となる。
【発明を実施するための最良の形態】
【００１９】
以下、本発明の光学式記録媒体、その製造方法、記録／再生方法、および記録／再生装置について、図面を参照しながら説明する。
（実施の形態１）
ここでは、本発明の光学式記録媒体について、具体的な例を挙げて説明する。本実施の形態における記録媒体は、主にＮＡ約０．８５の対物レンズによって集光された、波長約４０５ｎｍのレーザー光を照射することによって、情報の記録および再生が行われる。
【００２０】
（実施例１）
図１に本実施例１における、情報トラックにおけるグルーブ部とランド部のどちらに情報を記録するか、あるいはランド部に記録することを示す記録トラック情報が、識別情報領域にバーコード状に記録されている光学式記録媒体１０１を示す。
【００２１】
光学式記録媒体１０１は、記録／再生装置に装着するための直径１５ｍｍの中心孔１０２を中央に備え、ポリカーボネートからなる直径１２０ｍｍ、厚さ１．１ｍｍの透明基板上に記録層を備え、さらに厚さ０．１ｍｍの保護層を備えた構造を持つ。基板と反対側の面から保護層を通してレーザー光を照射し、情報の記録／再生を行う。記録層は相変化記録材料であるＧｅＳｂＴｅ合金または有機色素からなり、レーザー光を照射することで記録層に記録マークが形成される。
【００２２】
また、光学式記録媒体１０１は、半径約２１ｍｍから２２ｍｍの位置に設けられた記録媒体の識別情報などを記録する識別情報領域１０３、半径約２２ｍｍから２３ｍｍの位置に設けられた再生専用のリードイン領域１０４、半径約２３ｍｍから２４ｍｍの位置に設けられた、最適なパルス条件を求める学習動作を行うためのテスト記録領域１０５、半径約２４ｍｍから５８ｍｍの位置に設けられた記録情報を記録する情報記録領域１０６を有している。
【００２３】
テスト記録領域１０５および情報記録領域１０６には、トラックピッチ約０．３２μｍの溝によって構成される、記録／再生時にレーザー光をトラッキングする情報トラック１０７が設けられている。識別情報領域１０３には、情報トラック１０７におけるレーザー光照射面に近いグルーブ部とレーザー光照射面から遠いランド部のどちらに情報を記録するのか、あるいはランド部に記録することを示す記録トラック情報が、径方向の線の集合であるバーコード状に記録されている。リードイン領域１０４には、トラックピッチ約０．３５μｍの溝を径方向に蛇行（ウォブル）させ、その空間周波数を変調して再生専用の情報が記録されている。
【００２４】
図８に、リードイン領域１０４のトラック形状の要部平面図を示す。トラック８１１にトラッキングされたレーザー光８１０は、矢印８１２の方向に走査される。トラック８１１は径方向に蛇行しており、その空間周波数に重要な情報を含んでいる。そのため、隣接するトラックとのクロストークを低減し、再生される情報の信頼性を高める目的で、情報記録領域１０６よりも大きなトラックピッチが設定されている。また、テスト記録領域１０５、および情報記録領域１０６の情報トラック１０７に、一定の周波数変調を行い、径方向に蛇行（ウォブル）させてアドレス情報を記録するとともに、このウォブルから得られる信号に基づいて記録／再生装置のスピンドルモーターの回転を制御する。
【００２５】
以上の構成により、本発明における光学式記録媒体１０１は、使用時に前記記録トラック情報を読み出して、グルーブ部かランド部のいずれかを選択することで、良好な信号品質で情報を記録／再生することが可能となる。さらに、記録トラック情報がバーコード状に記録されているため、記録媒体を回転させながらレーザー光の焦点を記録層に合わせるだけで、トラッキング制御を行うことなく記録トラック情報を読み出すことが可能となる。したがって、リードイン領域１０４の情報をグルーブ部とランド部のどちらに記録しても良く、情報記録領域１０６と同じ溝部を使用できるため、基板の作成や記録／再生装置の制御が容易となる。
【００２６】
具体的には、グルーブ部に記録するタイプの記録媒体では、グルーブ部をウォブルさせて情報トラック１０７を形成し、グルーブ部にトラッキングして再生専用情報やアドレス情報を読みとり可能としている。また、ランド部に記録するタイプの記録媒体では、ランド部をウォブルさせて情報トラック１０７を形成し、レーザー光をランド部にトラッキングして再生専用情報やアドレス情報を読みとり可能としている。従って、本発明の記録媒体によれば、記録トラック情報を読み出し、グルーブ部かランド部のいずれに再生専用情報やアドレス情報が記録されているかを判断することで、グルーブ部とランド部のどちらに記録するタイプの記録媒体であっても、良好な信号品質で情報を記録あるいは再生することが可能となる。
【００２７】
特に、有機色素系記録材料からなる記録層をスピンコート法で形成する場合などのように、グルーブ部とランド部での記録性能が異なる場合に本発明の効果が顕著となる。例えば、記録膜の膜厚が厚く、情報の記録に適したランド部に情報を記録することを示す記録トラック情報を予め記録しておけばよい。
【００２８】
なお、識別情報領域１０３の記録は、レーザー光の照射によって、部分的に記録膜を消失、変形または変色させることによって行うことができる。また、識別情報領域１０３には、前記記録トラック情報の他に著作権情報や媒体の個体識別情報などを記録しても良い。リードイン領域１０４には、媒体の製造者が推奨する記録／再生条件などを記録しても良い。
【００２９】
また、テスト記録領域は情報記録領域の外周側に設けても良い。さらに、テスト記録領域を情報記録領域の内周側と外周側の両方に設けることにより、記録媒体の半径位置によって記録特性分布がばらつくことを補償することができる。
（実施例２）
図２に本実施例２における、情報トラックにおけるグルーブ部とランド部のどちらに情報を記録するか、あるいはランド部に記録することを示す記録トラック情報が、リードイン領域に記録されている光学式記録媒体２０１を示す。図１で説明した実施例１における光学式記録媒体と一部を除いて同じ構造を有する。
【００３０】
光学式記録媒体２０１は、記録／再生装置に装着するための直径１５ｍｍの中心孔２０２を中央に備えたポリカーボネートからなる直径１２０ｍｍ、厚さ１．１ｍｍの透明基板上に記録層を備え、厚さ０．１ｍｍの保護層を備えた構造を持つ。基板と反対側の面から保護層を通してレーザー光を照射し、情報の記録／再生を行う。記録層は相変化記録材料であるＧｅＳｂＴｅ合金または有機色素からなり、レーザー光を照射することで記録層に記録マークが形成される。
【００３１】
また、光学式記録媒体２０１は、半径約２２ｍｍから２３ｍｍの位置に設けられた再生専用のリードイン領域２０４、半径約２３ｍｍから２４ｍｍの位置に設けられた、最適なパルス条件を求める学習動作を行うためのテスト記録領域２０５、半径約２４ｍｍから５８ｍｍの位置に設けられた記録情報を記録する情報記録領域２０６を有している。
【００３２】
テスト記録領域２０５および情報記録領域２０６には、トラックピッチ約０．３２μｍの溝によって構成される、記録／再生時にレーザー光をトラッキングする情報トラック２０７が設けられている。リードイン領域２０４は、トラックピッチ約０．３５μｍの溝を径方向に蛇行（ウォブル）させ、その空間周波数を変調して、情報トラック２０７におけるレーザー光照射面に近いグルーブ部とレーザー光照射面から遠いランド部のどちらに情報を記録するか、あるいはランド部に記録することを示す記録トラック情報を記録した媒体情報トラック２１７を備えている。媒体情報トラック２１７は、グルーブ部にトラッキングしたときに記録トラック情報が再生可能となるようにウォブルさせる。テスト記録領域２０５および情報記録領域２０６の情報トラック２０７に一定の周波数変調を行い、径方向に蛇行（ウォブル）させてアドレス情報を記録するとともに、このウォブルから得られる信号に基づいて記録／再生装置のスピンドルモーターの回転を制御する。ここで、グルーブ部に記録するタイプの記録媒体では、グルーブ部をウォブルさせて情報トラックを形成し、グルーブ部にトラッキングしたときに再生専用情報やアドレス情報を読みとり可能とする。ランド部に記録するタイプの記録媒体では、ランド部をウォブルさせて情報トラックを形成し、ランド部にトラッキングしたときに再生専用情報やアドレス情報を読みとり可能とする。
【００３３】
以上の構成により、本発明における光学式記録媒体２０１は、使用時にリードイン領域２０４のグルーブ部にトラッキングし、記録トラック情報を読み出して、グルーブ部かランド部かを選択することで、グルーブ部とランド部のどちらに記録するタイプの記録媒体であっても良好な信号品質で情報を記録／再生することが可能となる。
【００３４】
なお、リードイン領域２０４には、媒体の製造者が推奨する記録／再生条件などを記録しても良い。また、テスト記録領域２０５は情報記録領域２０６の外周側に設けても良い。さらに、テスト記録領域２０５を情報記録領域２０６の内周側と外周側の両方に設けることにより、記録媒体の半径位置によって記録特性の分布がばらつくことを補償することができる。
【００３５】
（実施例３）
図３（ａ）に本実施例３における光学式記録媒体３０１を示す。光学式記録媒体３０１は、２つの記録層３３３、３３５を備えた片面２層構成を有し、基板と反対側の面から保護層３３２を通してレーザー光３１０を照射し、第１記録層３３３または第２記録層３３５に選択的に焦点を合わせることによって、同一面側から２つの記録層に対して情報の記録／再生を行う。記録層３３３、３３５は、厚さ約０．０３ｍｍの分離層３３４によって互いに分離されており、これらの層３３３、３３４、３３５は、直径１２０ｍｍ、厚さ１．１ｍｍの基板３３６と厚さ０．０７ｍｍの保護層３３２とに挟持されている。
【００３６】
記録層３３５の詳細を図３（ｂ）に示す。記録層３３５は、図１に示した実施例１と同様に、半径約２１ｍｍから２２ｍｍの位置に設けられた、記録媒体の識別情報などを記録した識別情報領域３０３、半径約２２ｍｍから２３ｍｍの位置に設けられた再生専用のリードイン領域３０４、半径約２３ｍｍから２４ｍｍの位置に設けられた、最適なパルス条件を求める学習動作を行うためのテスト記録領域３０５、半径約２４ｍｍから５８ｍｍの位置に設けられた、情報を記録する情報記録領域３０６を有している。テスト記録領域３０５および情報記録領域３０６には、トラックピッチ約０．３２μｍの溝によって構成され、記録／再生時にレーザー光をトラッキングする情報トラック３０７が設けられている。識別情報領域３０３には、少なくとも情報トラック３０７におけるレーザー光照射面に近いグルーブ部とレーザー光照射面から遠いランド部のどちらに情報を記録するか、あるいはランド部に記録することを示す記録トラック情報が、径方向の線の集合であるバーコード状に記録されている。リードイン領域３０４には、トラックピッチ約０．３５μｍの溝を径方向に蛇行（ウォブル）させ、その空間周波数を変調して再生専用の情報を記録している。
【００３７】
第１記録層３３３は、識別情報領域３０３を備えていない以外は第２記録層３３５と同様の構成になっている。
本実施例のように複数の記録層を備え、片側の面からそれぞれの記録層に情報を記録／再生する多層記録媒体では、記録層毎にグルーブ部に記録するかランド部に記録するかを選択することによって、消去型記録層と追記型記録層を混在させるなど、それぞれの記録層に適した記録層材料を使用することが可能となり、記録層が１層だけの場合よりも、本発明の効果が顕著となる。
【００３８】
なお、識別情報領域はいずれか一つの記録層にのみ設ければ良いが、両方の記録層に設けても良い。また、記録層の数は３層以上であっても良い。例として、４つの記録層３３３、３３５、３３７、３３８を備えた片面４層構成を有する光学式記録媒体３１１を、図３（ｃ）に示す。記録層が４層である以外は、図３（ａ）の光学式記録媒体３０１と同じ構成である。
【００３９】
実施例１から３で示した光学式記録媒体の形状や、トラックの半径位置、深さ、溝幅およびトラックピッチの具体的な数値は、使用する記録／再生装置の性能や記録膜の特徴に応じて適宜設定可能である。
（実施の形態２）
ここでは、本発明の光学式記録媒体の記録／再生方法、および記録／再生装置について説明する。
【００４０】
図６は、本発明における光学式記録媒体に用いる記録／再生装置の一例を模式的に示すブロック図であり、図１に示した光学式記録媒体１０１を装着した状態を示している。
この記録／再生装置は、記録媒体を装着して回転させるスピンドルモーター１１０、コントローラー１１１、記録するデータを記録信号に変換する変調器１１２、記録信号に従って半導体レーザーを駆動するレーザー駆動回路１１３、半導体レーザーを有し、レーザー光を媒体に集光し、情報の記録を行うと共に、反射光から再生信号を得る光学ヘッド１２４、再生信号を増幅し、情報再生信号１１４Ｓ、フォーカスエラー信号１１４Ｆ、トラッキングエラー信号１１４Ｔを生成するプリアンプ１１４、情報再生信号１１４Ｓを２値化信号に変換する２値化回路１１５、２値化信号からデータを復調するデータ復調回路１１６、媒体のテスト記録領域において特定のデータを試験的に記録した信号の品質を判定する信号品質判定器１１７、学習動作によって得られた最適な記録条件を格納する記録条件格納手段１１８、前記記録条件に従ってレーザーパルスを制御するパルス条件設定手段１１９、光学式記録媒体１０１から読み出した記録トラック情報を格納する記録トラック情報格納手段１２２、レーザー光が光学式記録媒体１０１の記録層に焦点を合わせるようにフォーカスエラー信号１１４Ｆに基づいて光学ヘッド１２４を制御するフォーカス制御回路１２０、レーザー光が光学式記録媒体１０１のトラックを適切に走査するようにトラッキングエラー信号１１４Ｔに基づいて光学ヘッド１２４を制御するトラッキング制御回路１２１、光学ヘッド１２４を光学式記録媒体１０１の径方向に移動させる移動手段１２３を備えている。
【００４１】
ここで、フォーカスエラー信号１１４Ｆは、非点収差法と呼ばれる一般的な方法で生成される。トラッキングエラー信号１１４Ｔは、プッシュプル法と呼ばれる一般的な方法で生成される。
図５は図６の記録／再生装置を用いた記録／再生方法を示すフローチャートであり、図１と共に説明する。
【００４２】
最初に、起動工程５０１において、光学式記録媒体１０１をスピンドルモーター１１０に装着し、回転させた後、光学式記録媒体１０１上に光学ヘッド１２４によって情報再生用のレーザー光を照射し、記録層に焦点を合わせ、光学式記録媒体１０１上の識別情報領域１０３にアクセスして、識別情報領域１０３に記録されている記録トラック情報等を読み出す。記録トラック情報等の読み出しは、光学ヘッド１２４で光学式記録媒体１０１からの反射光から得られた情報再生信号１１４Ｓを予め定められた２値化スライスレベルに設定された２値化回路１１５で２値化した信号をデータ復調回路１１６で復調し、コントローラー１１１に取り込んで行う。このようにして、光学式記録媒体に記録された記録トラック情報を読み出される。
【００４３】
次に、記録トラック情報格納工程５０２において、前記記録トラック情報をトラック情報格納手段１２２に格納する。
さらに、再生専用情報読み出し工程５０３において、リードイン領域１０４にアクセスして、レーザー光を前記記録トラック情報に基づいてトラックのグルーブ部またはランド部にトラッキングし、リードイン領域１０４に記録されている媒体の再生専用情報（著作権情報や媒体の識別番号、推奨記録条件など）を読み出す。
【００４４】
次に、学習動作工程５０４において、最適な記録／再生条件を以下の手順で求める。まず、光学ヘッド１２４を移動させて、テスト記録領域１０５にアクセスする。コントローラー１１１はパルス条件設定手段１１９を、予め定められた特定の条件または媒体の再生専用情報で指定された条件に設定する。次にコントローラー１１１から出力された特定データを変調器１１２でレーザー駆動信号に変換し、レーザー駆動回路１１３は、レーザー駆動信号に従って光学ヘッド１２４に設置された半導体レーザーを駆動する。光学ヘッド１２４によって、半導体レーザーから出射された光を光学式記録媒体１０１に集光し、記録トラック情報に基づいてトラックのグルーブ部またはランド部にレーザー光をトラッキングして、光学式記録媒体１０１のテスト記録領域１０５にテスト信号の記録を行う。
【００４５】
このようにしてテスト記録されたデータの再生信号を２値化回路１１５で２値化した信号のジッター値（基準となるクロックに対する再生された信号位置の変動量）を信号品質判定器１１７で測定し、予め定められた判定基準と比較して、信号品質の判定を行う。ジッター値が判定基準を満足した場合、学習動作工程５０４は終了する。ジッター値が判定基準を満足しなかった場合、パルス条件を順次変化させて、特定データのテスト記録およびテスト記録されたデータの信号品質の判定を行う。ジッター値が判定基準を満足するまでこの作業を繰り返すことによって、最適な記録条件を求める。
【００４６】
次に、記録／再生条件格納工程５０５において、学習動作工程５０４によって得られた最適な記録条件を、記録条件格納手段１１８に格納する。
最後に、情報記録／再生工程５０６において、最適な記録条件に基づいてパルス条件を設定し、記録トラック情報に基づいてトラックのグルーブ部またはランド部にレーザー光をトラッキングして、情報を情報記録領域１０６に記録または再生する。つまり、記録トラック情報に基づき、グルーブ部またはランド部のいずれに情報が記録されるかを判断し、その判断に基づき、情報の記録／再生を行う。
【００４７】
本発明における記録／再生方法によれば、以上の構成により、使用時に記録トラック情報を読み出して、グルーブ部かランド部かを選択することで、良好な信号品質で情報を記録／再生することが可能となる。さらに、記録トラック情報がバーコード状に記録されているため、記録媒体を回転させながらレーザー光の焦点を記録層に合わせるだけで、トラッキング制御を行うことなく記録トラック情報を読み出すことが可能となる。したがって、リードイン領域の情報をグルーブ部とランド部のどちらに記録しても良く、情報記録領域と同じ溝部分を使用できるため、基板の作成や記録／再生装置の制御が容易となる。
【００４８】
具体的には、グルーブ部に記録するタイプの記録媒体では、グルーブ部をウォブルさせて情報トラックを形成し、グルーブ部にレーザー光をトラッキングして再生専用情報やアドレス情報を読みとり可能している。また、ランド部に記録するタイプの記録媒体ではランド部をウォブルさせて情報トラックを形成し、ランド部にレーザー光をトラッキングして再生専用情報やアドレス情報を読みとり可能としている。従って、本発明の記録／再生装置によれば、両者のタイプが混在してもグルーブ部に記録するかランド部に記録するかを正しく選択し、正常に情報を記録／再生することが可能となる。特に、スピンコート法で形成した有機色素系記録材料など、グルーブ部とランド部での記録性能が異なる記録層を有する場合に本発明の効果が顕著となる。
【００４９】
なお、情報記録領域において、グルーブ部に記録するかランド部に記録するかに関わらず、リードイン領域における再生専用情報を、グルーブ部とランド部の予め定めた一方に記録する場合には、記録トラック情報をリードイン領域に記録しても良い。
【産業上の利用可能性】
【００５０】
本発明にかかる光学式記録媒体、その製造方法、記録／再生方法、および記録／再生装置は、グルーブ部とランド部のどちらに情報を記録するか、あるいはランド部に情報を記録することを示す記録トラック情報を記録媒体に記録しておくことにより、記録媒体のタイプに応じてグルーブ部とランド部のうち情報の記録に適したどちらか一方を選択し、良好な信号品質で情報を記録／再生することができるという効果を有し、大容量の情報記録装置等に有用である。
【図面の簡単な説明】
【００５１】
【図１】本発明の実施の形態１の実施例１における光学式記録媒体を示す斜視図
【図２】本発明の実施の形態１の実施例２における光学式記録媒体を示す斜視図
【図３】本発明の実施の形態１の実施例３における光学式記録媒体を示す断面図と斜視図
【図４】従来の光学式記録媒体、およびスピンコート法による記録層形成例を示す断面図
【図５】本発明の光学式記録媒体の記録／再生方法を示すフローチャート
【図６】本発明の光学式記録媒体の記録／再生装置の構成を示すブロック図
【図７】従来の光学式記録媒体を示す斜視図
【図８】本発明の実施の形態１の実施例１における光学式記録媒体を示す要部拡大平面図
【符号の説明】
【００５２】
１０１、２０１、３０１、３１１    光学式記録媒体
１０２、２０２    中心孔
１０３、３０３    識別情報領域
１０４、２０４、３０４    リードイン領域
１０５、２０５、３０５    テスト記録領域
１０６、２０６、３０６    情報記録領域
１０７、２０７、３０７    情報トラック
１２０    フォーカス制御回路
１２１    トラッキング制御回路
１２２    記録トラック情報格納手段
１２３    移動手段
１２４    光学ヘッド
２１７    媒体情報トラック
３３２、４３２    保護層
３３３    第１記録層
３３４    分離層
３３５    第２記録層
３３７    第３記録層
３３８    第４記録層
３３６、４３６    基板
４３３    記録層
４４５    ランド部
４４６    グルーブ部
３１０、４１０    レーザー光
４４８    回転テーブル
４４９    有機色素
【図１】
2005293820.tif 000003
【図２】
2005293820.tif 000004
【図３】
2005293820.tif 000005
【図４】
2005293820.tif 000006
【図５】
2005293820.tif 000007
【図６】
2005293820.tif 000008
【図７】
2005293820.tif 000009
【図８】
2005293820.tif 000010